(57)【特許請求の範囲】
【請求項１】
静電潜像保持体に対向する開口部を有するシールドケースと、シールドケース内に配置され、コロナ放電を発する放電電極とを有し、静電潜像保持体との間に記録紙が搬送され、静電潜像保持体上の静電潜像がトナーによって顕像化されたトナー像を、記録紙上に転写する転写装置であって、
シールドケースの開口部を記録紙の搬送方向上流側で部分的に遮蔽する導電性材料から成る第１遮蔽部材２７と、
第１遮蔽部材の搬送方向下流側の端部から、搬送方向下流側に突出して延び、搬送方向下流側の端部は、感光体と導電電極との最近接位置よりも搬送方向上流側にあり、電気絶縁性材料から成る第２遮蔽部材５１とを含み、
シールドケースよりも搬送方向上流側に配置され、記録紙を静電潜像保持体の表面に向けて案内する案内部材を含み、
案内部材による記録紙の搬送方向延長線が静電潜像保持体の表面と交わる位置Ｂは、放電電極と第２遮蔽部材の搬送方向下流側の端部とを結ぶ直線が静電潜像保持体の表面と交わる位置Ｘよりも、静電潜像保持体の回転方向上流側にあるように構成される転写装置の設計方法において、
第１遮蔽部材の前記端部からの第２遮蔽部材の突出長さをＬ１とし、静電潜像保持体の表面と第１遮蔽部材の前記端部との間の距離をＬ２とするとき、
０．８ ≦ Ｌ１ ／ Ｌ２ ≦ ３．０
という関係式を用いてＬ１とＬ２を設定することを特徴とする転写装置の設計方法。
【請求項２】
第２遮蔽部材は、搬送方向上流側から下流側になるにつれて、静電潜像保持体の表面に近付くように傾斜していることを特徴とする請求項１記載の転写装置の設計方法。
【請求項３】
第２遮蔽部材は、シールドケースの内方に臨んで第１遮蔽部材の裏面を覆うように固定されることを特徴とする請求項１または２記載の転写装置の設計方法。
【発明の詳細な説明】
【０００１】
【発明の属する技術分野】
本発明は、電子写真プロセスを用いる複写機、プリンタ、ファクシミリ装置などの画像形成装置において用いられる転写装置の設計方法に関する。
【０００２】
【従来の技術】
図７は、先行技術の転写装置１１の断面図である。直円筒状の静電潜像保持体１２に対向して配置される放電ケースであるシールドケース１３と、このシールドケース１３の内部に張設した放電電極であるチャージャワイヤ１４とを有し、シールドケース１３の開口部１５は、静電潜像保持体１２に向けて広い面積で開口し、ほぼＵ字状の断面形状を有する。チャージャワイヤ１４には、シールドケース１３との間に高電圧電源から高電圧が印加され、コロナ放電が発生する。このコロナ放電によって、静電潜像保持体１２上のトナーによって顕像化されたトナー像が、記録紙１６に転写される。コロナ放電の放電領域は、Ｔで示される。
【０００３】
図７に示される先行技術では、放電領域Ｔが、転写装置１１の周辺部の広い範囲に亘っておよぶことになり、記録紙１６が静電潜像保持体１２に密着する前に、静電潜像保持体１２の表面から記録紙１６へのトナーの移動が始まり、その結果、記録紙１６上の画像周辺部に、トナーの前記移動による汚れが生じ、画像をぼかすことになり、画質の低下を引き起こす。
【０００４】
この問題を解決する他の先行技術は、特開昭６３−２２１３７２であり、その断面は図８に示される。この先行技術では、図７の転写装置１１と同様な構成において、導電性を有する遮蔽部材１７が、記録紙１６の搬送方向上流側でシールドケース１３に設けられる。これによってチャージャワイヤ１４によるコロナ放電の一部を遮断し、記録紙１６が静電潜像保持体１２の表面に密着する前に静電潜像保持体から記録紙１６へのトナーの移動を防ぎ、したがって画質を向上するとともに、前記移動するトナーによる記録紙１６および遮蔽部材１７の汚れを防止する。
【０００５】
図８に示される先行技術の新たな問題は、遮蔽部材１７を設けることによって、転写装置１１の放電電荷が低減することであり、このことによって、充分な転写効果が得られず、転写不良が発生することがあるということである。
【０００６】
【発明が解決しようとする課題】
本発明の目的は、記録紙上の画質の低下を引き起こすことなく、しかも転写不良を生じることなく充分な転写効果を達成することができる転写装置の設計方法を提供することである。
【０００７】
【課題を解決するための手段】
本発明は、静電潜像保持体に対向する開口部を有するシールドケースと、シールドケース内に配置され、コロナ放電を発する放電電極とを有し、静電潜像保持体との間に記録紙が搬送され、静電潜像保持体上の静電潜像がトナーによって顕像化されたトナー像を、記録紙上に転写する転写装置であって、
シールドケースの開口部を記録紙の搬送方向上流側で部分的に遮蔽する導電性材料から成る第１遮蔽部材２７と、
第１遮蔽部材の搬送方向下流側の端部から、搬送方向下流側に突出して延び、搬送方向下流側の端部は、感光体と導電電極との最近接位置よりも搬送方向上流側にあり、電気絶縁性材料から成る第２遮蔽部材５１とを含み、
シールドケースよりも搬送方向上流側に配置され、記録紙を静電潜像保持体の表面に向けて案内する案内部材を含み、
案内部材による記録紙の搬送方向延長線が静電潜像保持体の表面と交わる位置Ｂは、放電電極と第２遮蔽部材の搬送方向下流側の端部とを結ぶ直線が静電潜像保持体の表面と交わる位置Ｘよりも、静電潜像保持体の回転方向上流側にあるように構成される転写装置の設計方法において、
第１遮蔽部材の前記端部からの第２遮蔽部材の突出長さをＬ１とし、静電潜像保持体の表面と第１遮蔽部材の前記端部との間の距離をＬ２とするとき、
０．８ ≦ Ｌ１ ／ Ｌ２ ≦ ３．０
という関係式を用いてＬ１とＬ２を設定することを特徴とする転写装置の設計方法である。
【０００８】
本発明に従えば、導電性材料から成る第１遮蔽部材によって、シールドケースの開口部を、記録紙の搬送方向上流側で部分的に遮蔽し、したがって記録紙がたとえば直円筒状感光体ドラムなどの静電潜像保持体に密着し、または密着する直前よりも前に、静電潜像保持体上のトナー像から記録紙上にトナーが移動を始めることを防ぐことができる。これによって第１遮蔽部材は、コロナ放電の静電潜像保持体に臨む放電領域を、静電潜像保持体と記録紙との密着する位置にのみ、またはその密着位置にごく近接した位置にのみ対応させる働きをする。
【０００９】
第２遮蔽部材は、電気絶縁性材料から成り、第１遮蔽部材から搬送方向下流側に突出し、第２遮蔽部材の搬送方向下流側の端部は、静電潜像保持体と放電電極との最近接位置よりも搬送方向上流側にあり、シールドケースと放電電極との間のコロナ放電の放電電荷が低減することを防ぎ、転写不良が発生することを防ぎ、充分な転写効果を達成することを可能にし、このような高い転写効率を維持し、安定した転写性能を長期間に亘って保つことを可能にする。
【００１０】
さらに本発明に従えば、第２遮蔽部材の突出長さＬ１と、静電潜像保持体の表面と第１遮蔽部材の端部との間の距離Ｌ２との比η（＝Ｌ１／Ｌ２）を、０．８以上、３．０未満に選び、好ましくは、この比ηを、２．６〜２．９に選び、さらに好ましくは２．８である。これによって記録紙と第２遮蔽部材との摩擦帯電に起因して第２遮蔽部材上に静電潜像保持体からトナーが飛散して移動することによる第２遮蔽部材上の汚れを防ぐとともに、その第２遮蔽部材に接触する記録紙の表面の裏汚れを防止することができる。しかも、コロナ放電による静電潜像保持体への流れ込み電流を減らすことができ、これによって静電潜像保持体上に静電潜像が残存したままになる転写メモリを低減することができる。前記比ηが０．８未満および３．０を超えると、第２遮蔽部材と記録紙との摩擦帯電に起因して第２遮蔽部材がトナーによって汚損され、その第２遮蔽部材上のトナーが記録紙上に付着し記録紙の裏汚れが発生する結果になる。
【００１１】
この第２遮蔽部材を、第１遮蔽部材の裏面、すなわち放電電極に臨む表面に両面粘着テープまたは接着剤などによって固定することによって、第１遮蔽部材が第２遮蔽部材によって覆われることになり、したがって無駄な放電電流を防止することができるようになる。
本発明に従えば、シールドケースよりも搬送方向上流側に配置された案内部材によって記録紙を静電潜像保持体の表面に向けて案内し、したがって記録紙が静電潜像保持体の表面に確実に密着し、その密着する搬送方向長さを充分に確保することができ、転写性能を高効率にすることができる。
さらに本発明に従えば、案内部材の搬送方向延長線が静電潜像保持体の表面と交わる位置Ｂを、放電電極と第２遮蔽部材の端部とを結ぶ直線が静電潜像保持体の表面と交わる位置Ｘよりも、静電潜像保持体の回転または移動する方向の上流側にあるように構成し、したがって静電潜像保持体が臨むコロナ放電の放電領域が縮小されることがなく、転写電流が静電潜像保持体に充分に流れ込み、転写性能を向上し、転写効率を向上することができるようになる。
【００１２】
また本発明は、第２遮蔽部材は、搬送方向上流側から下流側になるにつれて、静電潜像保持体の表面に近付くように傾斜していることを特徴とする。
【００１３】
本発明に従えば、第２遮蔽部材によって記録紙が静電潜像保持体の表面に近付くように搬送して案内され、したがって記録紙が静電潜像保持体の表面に接しやすくなる。したがって、記録紙が静電潜像保持体に密着する密着領域を、静電潜像保持体の回転または移動する方向の長さを充分確保することができ、転写性能をさらに高効率にすることができる。
【００１４】
また本発明は、第２遮蔽部材は、シールドケースの内方に臨んで第１遮蔽部材の裏面を覆うように固定されることを特徴とする。
【００１５】
本発明に従えば、電気絶縁性材料から成る第２遮蔽部材５１が、導電性材料から成る第１遮蔽部材２７の裏面を覆うようにして、シールドケース５４の内面に固定されるので、感光体ドラム１などの静電潜像保持体に向けて放電された電流の一部が、シールドケースに流れることを防ぎ、ケース電流の増大に起因した転写効率の低下を防止することができる。
【００１８】
【発明の実施の形態】
図１は、本発明の実施の一形態の転写装置５の断面図であり、図２は図１に示される転写装置５を備える電子写真方式の画像形成装置１９の簡略化した断面図である。電子写真プロセスの全体的な構成は、帯電、露光、現像、転写、クリーニング、定着、および除電などの工程から成る。静電潜像保持体である直円筒状の感光体ドラム１は、矢符Ｓ１方向に回転可能に設けられる。感光体ドラム１の表面は、帯電手段２であるコロナチャージャおよび接触ローラ帯電器によって所定の電荷量に均一に帯電され、露光手段３は、所定の静電潜像ポテンシャルを形成することによって静電潜像を担持する。感光体ドラム１は、金属または合成樹脂製の導電性基体と、その表面に形成される下引き層と、その上に形成される感光層とを含んで構成される。感光層は、下引き層上に形成される比較的薄いキャリア発生層（略称ＣＧＬ）と、最外層に形成されるポリカーボネートを主成分とした比較的厚いキャリア移動層（略称ＣＴＬ）とで構成される。露光によってキャリア発生層でキャリアが発生し、該キャリアによって感光体ドラム１に帯電した電荷が相殺されて前記静電潜像ポテンシャルが形成される。感光体ドラム１に担持された静電潜像は、該感光体ドラム１が回転することによって現像剤担持体４１と接触する現像領域４２に搬送される。前記方向Ｓ１とは反対の矢符Ｓ３の方向に回転する現像剤担持体４１は、感光体ドラム１に圧接される。現像剤担持体４１に担持されたトナーが感光体ドラム１の静電潜像に従って移動し付着することによって、静電潜像が顕像化され、現像される。現像剤担持体４１には、図示しない接続された電源から所定のバイアス電圧が印加される。
【００１９】
現像後、感光体ドラム１に付着したトナー１０は、所定の転写領域に搬送される。転写領域２１には給紙手段２２によって紙などの記録紙Ｐが搬送方向２３に給紙されており、感光体ドラム１上にトナー像と同期して接触する。転写領域２１に設けられる転写装置５には、高圧電源を具備したチャージャ型または接触ローラ型があり、トナー１０が転写される側の極性の電圧を感光体ドラム１に印加する。これによって、トナー１０が記録紙Ｐに移動し、トナー像が転写される。記録紙Ｐが感光体ドラム１から分離された後、該記録紙Ｐ上のトナーは、定着手段８によって定着される。たとえば、トナーが熱融解によって定着される。その後、記録紙Ｐは、装置外部に排紙される。転写後の感光体ドラム１の表面は、クリーニング手段６によって清掃された後、除電手段７によって表面に残存する電荷が除去され、電気的に初期化される。該除電手段７には、光除電ランプまたは接触除電器によって実現される。
【００２０】
感光体ドラム１上に現像されたトナー像は、転写装置５から記録紙Ｐにコロナ放電が付与され、それにトナーが引き寄せられ、転写がなされる。転写装置５は、放電電極である放電ワイヤ５２および導電性シールドケース５４から成る。放電ワイヤ５２は、感光体ドラム１の軸方向に沿って設けられている。感光体ドラム１に接するように搬送されてきた記録紙Ｐに向けてコロナ放電が発生する。導電性シールドケース５４は、感光体ドラム１に向かって開口するほぼＵ字形状を有する。シールドケース５４には、導電性材料、たとえば金属製である第１遮蔽部材２７が、シールドケース５４に電気的に接続されて設けられる。
【００２１】
この第１遮蔽部材２７は、シールドケース５４の搬送方向２３上流側の側壁２８の上端部に連なって固定される傾斜部２５と、その傾斜部２５から直線２９にほぼ垂直に延びる案内部２６とから成る。傾斜部２５は、搬送方向２３下流側になるにつれて感光体ドラム１の転写領域２１に近付くように傾斜される。直線２９は、感光体ドラム１の回転軸線１１と、転写装置５の放電ワイヤ５２とを結ぶ直線であり、参照符２１で示す前述の転写領域は、この直線２９と感光体ドラム１の表面とが交わる位置を示している。
【００２２】
放電ワイヤ５２から感光体ドラム１への放電領域Ｔの一部を遮蔽し、放電領域Ｔを感光体ドラム１と記録紙Ｐとの密着部分にのみ対応させる働きを有する第２遮蔽部材５１を、導電性シールドケース５４周縁に形成する。第２遮蔽部材５１としては、板厚０．１ｍｍのポリエチレンテレフタレートフィルムを取付ける。このポリエチレンテレフタレートフィルムは、マイラという商品名によって商業的に入手可能である。第２遮蔽部材５１の取付け位置により、コロナ放電領域Ｔおよび記録紙Ｐの搬送経路に変化を生じ、最適な取付け位置を得るために、前記第２遮蔽部材５１の第１遮蔽部材２７からの突き出し長さＬ１、前記感光体表面と前記第１遮蔽部材２７との距離Ｌ２との相関関係を調べた結果、本件発明者の実験結果によれば、表１のようになった。Ｌ１とＬ２の比η（＝Ｌ１／Ｌ２）を０．８〜３．０の範囲（０．８≦η≦３．０）、さらに望ましくは、比ηを２．６〜２．９に選び、最も好ましくはηを２．８に設定することにより、記録紙Ｐと第１遮蔽部材２７の摩擦帯電に起因したトナー付着による第１遮蔽部材２７上の汚れ、記録紙裏汚れを防止することができ、感光体ドラム１への流れ込み電流を減らすことができるので、転写メモリも低減できることが可能となる。具体的な形状の一例としては、第２遮蔽部材５１の第１遮蔽部材２７からの突き出し長さＬ１を３．０ｍｍとし、前記感光体ドラム表面と前記第１遮蔽部材２７との距離Ｌ２を１．１ｍｍとすることによって、最適値近傍のη＝Ｌ１／Ｌ２＝２．７を得ている。感光体ドラム１は、外径がたとえば３０ｍｍφであってもよく、接地される。
【００２３】
【表１】
0003600057.tif 000002
【００２４】
導電性シールドケース５４に取付けられた第１遮蔽部材２７は、金属製部材より成るものであり、本発明で用いる第２遮蔽部材５１は、前記第１遮蔽部材２７の裏面、すなわち導電性シールドケース５４の内面に両面接着テープでＵ字状開口部の端部まで覆うように貼り付けることによって、感光体ドラム１に向けて放電された転写電流の一部が導電性シールドケース５４に流れることを防ぎ、ケース電流の増大によって転写効率が低下するのを防止する。
【００２５】
第２遮蔽部材５１は、電気絶縁性材料を用いる。本実施例では、板厚０．１ｍｍのポリエチレンテレフタレートフィルムなどの合成樹脂材料によって、第２遮蔽部材５１を構成することができる。もしも仮に、第２遮蔽部材５１もまた、第１遮蔽部材２７と同様に導電性材料であれば、転写ワイヤ５２からの放電電流がその部分に集中するので、感光ドラム面への転写電流が低減し、転写効率が低下する。電気絶縁性材料を用いることによって、高い転写効率を維持でき、安定した転写性能を長期にわたって保つことができる。
【００２６】
図３は、感光体ドラム１と転写装置５とを、記録紙Ｐの上流側（図１の右方）から見た簡略化した図である。第２遮蔽部材５１は、第１遮蔽部材２７とともに、感光体ドラム１の軸線方向（図３の左右方向）に、画像領域９よりも外方に長く延びて形成される。したがって第２遮蔽部材５１の表面にトナーが付着して汚れが生じることが防がれる。もしも仮に、第２遮蔽部材５１が、画像領域９の範囲内であるとすれば、転写電流が画像領域９に漏れて、転写メモリが残る恐れがある。本発明の実施の形態では、この問題を解決する。
【００２７】
転写装置５において、コロナ放電を発する手段としては、種々のものがあるが、特に構造が簡単で、量産性に優れたものとして図１に示すように、放電ワイヤ５２を用いる。放電ワイヤ５２としては、径３０〜８０μｍφ、特に７０μｍφのタングステンワイヤを使用する。
【００２８】
図４は、本発明の実施の他の形態における転写装置５の一部を切欠いて示す斜視図である。帯電、転写等でコロナ放電を用いることは、オゾン発生という観点から、問題があり、そこでオゾンの発生を抑制するために図４のように鋸歯状の電極５３を用いる。したがって、この放電形態からオゾン発生量は、大幅に低減できる。放電電極を鋸歯状電極５３にする。鋸歯ピッチとしては、２ｍｍ、材質としては、ステンレス鋼板を使用する。
【００２９】
放電領域Ｔを安定に保つために、第２遮蔽部材５１の先端部３０は、感光体ドラム１の軸線１１と放電ワイヤ５２とを結ぶ直線２９よりも、記録紙Ｐの搬送方向２３の上流側、および感光体ドラム１の回転方向Ｓ１の上流側に定められる。放電ワイヤ５２に代えて、図４の鋸歯状電極５３を用いる実施の形態では、直線２９は前記軸線１１と、その鋸歯状電極５３の先端部３１とを結ぶ直線である。
【００３０】
第１遮蔽部材２７の傾斜部２５は、記録紙Ｐと感光体ドラム１の表面との密着性を良好にし、さらに転写領域２１を感光体ドラム１の回転方向Ｓ１に沿って転写に適した充分な長さを確保することができるようにするために、傾斜される。この傾斜部２５は、記録紙Ｐの上流側から下流側になるにつれて、感光体ドラム１の表面に近付くように傾斜され、さらに第２遮蔽部材５１もまた、その先端部３０に向かうにつれて、感光体ドラム１からの距離が小さくなるように傾斜している。
【００３１】
図５は、本発明の実施のさらに他の形態の転写装置５の断面図である。この実施の形態は、前述の実施の形態に類似し、対応する部分には同一の参照符を付す。この実施の形態では、案内部材３２が、シールドケース５４の搬送方向上流側の側壁２８よりもさらに搬送方向上流側に配置される。この案内部材３２は、記録紙Ｐを感光体ドラム１の表面に向けて、前述の第１遮蔽部材２７の傾斜部２５に連なるように同様に傾斜して配置される。これによって感光体ドラム１上のトナー像が、記録紙Ｐ上に転写するための転写領域２１に、記録紙Ｐが供給、搬送されて案内される。
【００３２】
図６は、図５に示される転写装置５の構成を説明するための断面図である。図６（１）は、本発明の実施の一形態の転写装置５の断面図であり、図６（２）および図６（３）は、比較例を示す転写装置５の断面図である。図６（１）の実施の形態では、放電ワイヤ５２と第２遮蔽部材５１の搬送方向下流側の端部３０とを結ぶ直線３４が感光体ドラム１の表面と交わる位置Ｘよりも、位置Ｂを、感光体ドラム１の回転方向Ｓ１上流側にあるように構成される。この位置Ｂは、案内部材３２による記録紙Ｐの搬送方向２３の延長線３５が感光体ドラム１の表面と交わる位置である。本発明の実施の一形態では、第１遮蔽部材２７の傾斜部２５と案内部材３２とは、記録紙Ｐを案内する上面が一平面内にあり、延長線３５はこの平面内にある。これによって感光体ドラム１からのトナーの飛散を防ぎ、第２遮蔽部材５１の上面がトナーによって汚損することが防がれ、またその汚損した第２遮蔽部材５１の上面に記録紙Ｐが接触して記録紙Ｐの裏汚れを防ぎ、転写不良を防止することができ、安定した転写性能を長期間に亘って維持することができる。この図６（１）の実施の形態では、０．８≦Ｌ１／Ｌ２≦３．０である。
【００３３】
図６（２）に示される比較例では、位置Ｘが、前記延長線の交点位置Ｂよりも感光体ドラム１の回転方向Ｓ１の上流側に設置される。このような構成では、第２遮蔽部材５１と記録紙Ｐとの摩擦接触による第２遮蔽部材５１の帯電によって、感光体ドラム１からのトナーが、第２遮蔽部材５１上に飛散して汚れ、記録紙Ｐも汚れる。第２遮蔽部材５１は、放電領域Ｔを充分に遮蔽することができず、これによってトナーが第１遮蔽部材２７および第２遮蔽部材５１上に落下することになる。この図６（２）の比較例では、Ｌ１／Ｌ２＜０．８である。
【００３４】
図６（３）に示される比較例では、位置Ｘは、直線２９と感光体ドラム１の表面との参照符Ｃで示される交点よりも感光体ドラム１の回転方向Ｓ１の下流側に存在する。これによって第２遮蔽部材５１によって、感光体ドラム１に転写電流が充分に供給されなくなり、転写性能が低下する。このような図６（３）の構成では、放電領域Ｔが大幅に縮小され、転写電流は充分に感光体ドラム１に供給されなくなる。その結果、転写性能が低下し、転写効率が低下する。参照符Ｃで示される位置は、直線２９が感光体ドラム１の表面と交わる位置であり、この位置Ｃでは、放電電極である放電ワイヤ５２の最近接位置である。この図６（３）の比較例では、３．０＜Ｌ１／Ｌ２である。
図５および図６に関連する本件発明者の実験結果を表２に示す。
【００３５】
【表２】
0003600057.tif 000003
【００３６】
本発明は、電子写真方式複写機に関連して実施されるだけでなく、電子写真方式のプリンタ、ファクシミリ装置およびその他の画像形成装置に関連して広範囲に実施することができる。
【００３７】
【発明の効果】
本発明によれば、導電性第１遮蔽部材は、記録紙上のトナーによる汚れを防ぐとともに画質の低下を防ぎ、電気絶縁性第２遮蔽部材の働きによって、コロナ放電の静電潜像保持体に臨む放電領域を、静電潜像保持体と記録紙との密着位置付近にのみ対応させ、無駄な放電電流を防止することができる。
記録紙の案内部材による静電潜像保持体の表面と交わる位置Ｂを、放電電極と第２遮蔽部材の端部とを結ぶ直線３４の静電潜像保持体表面と交わる位置Ｘよりも上流側にあるようにすることによって、静電潜像保持体のコロナ放電が臨む放電領域が縮小されることを防ぎ、転写電流を静電潜像保持体に充分に供給して、転写性能を向上し、転写効率を向上することが可能になる。
【００３８】
本発明によれば、記録紙と第２遮蔽部材との摩擦帯電に起因してトナーが第２遮蔽部材上に付着することを防ぎ、これによって記録紙の裏汚れを防止することができ、さらに静電潜像保持体への流れ込み電流を減らすことができ、転写メモリを低減することができる。
【００３９】
本発明によれば、電気絶縁性材料から成る第２遮蔽部材５１が、導電性材料から成る第１遮蔽部材２７の裏面を覆うようにして、シールドケース５４の内面に固定されるので、感光体ドラム１などの静電潜像保持体に向けて放電された電流の一部が、シールドケースに流れることを防ぎ、ケース電流の増大に起因した転写効率の低下を防止することができる。
【図面の簡単な説明】
【図１】本発明の実施の一形態の転写装置５の断面図である。
【図２】図１に示される転写装置５を備える電子写真方式の画像形成装置１９の簡略化した断面図である。
【図３】感光体ドラム１と転写装置５とを、記録紙Ｐの上流側（図１の右方）から見た簡略化した図である。
【図４】本発明の実施の他の形態における転写装置５の一部を切欠いて示す斜視図である。
【図５】本発明の実施のさらに他の形態の転写装置５の断面図である。
【図６】図５に示される転写装置５の構成を説明するための断面図である。
【図７】先行技術の転写装置１１の断面図である。
【図８】他の先行技術の転写装置１１の断面図である。
【符号の説明】
１  感光体ドラム
２  帯電手段
３  露光手段
５  転写装置
８  定着手段
１０  トナー
１１  回転軸線
１６，Ｐ  記録紙
１９  画像形成装置
２１  転写領域
２３  搬送方向
２５  傾斜部
２６  案内部
２７  第１遮蔽部材
３２  案内部材
４１  現像剤担持体
４２  現像領域
５１  第２遮蔽部材
５２  放電ワイヤ
５３  鋸歯状針電極
５４  シールドケース
【図１】
0003600057.tif 000004
【図２】
0003600057.tif 000005
【図３】
0003600057.tif 000006
【図４】
0003600057.tif 000007
【図５】
0003600057.tif 000008
【図６】
0003600057.tif 000009
【図７】
0003600057.tif 000010
【図８】
0003600057.tif 000011